(57)【特許請求の範囲】
【請求項１】
入力される交流電力を直流電力に変換して負荷へ供給する電源装置において、
前記交流電力を整流する整流手段と、
前記整流手段からの出力を倍電圧にすると共に平滑化して直流電力を出力する平滑手段と、
前記整流手段の出力端子の間に接続されると共に、入力されるスイッチング信号のオン／オフに基づいて開閉するスイッチング素子と、
前記整流手段に入力される入力電圧を検出する入力電圧検出手段と、
前記整流手段に入力される入力電流を検出する入力電流検出手段と、
前記入力電流検出手段により検出される入力電流値と、前記スイッチング信号を出力する時間に相当する前記入力電圧の位相角及び前記スイッチング信号のデューティ比と、の対応関係を予め定めたテーブルデータが記憶された記憶手段と、
前記入力電圧検出手段により検出した入力電圧の第１のゼロクロス点及び当該第１のゼロクロス点の次の第２のゼロクロス点を検出すると共に、前記第１のゼロクロス点を検出した時点から当該第１のゼロクロス点を検出した時点における前記入力電流検出手段により検出された入力電流値に対応する前記入力電圧の位相角に相当する時間が経過するまでの第１の期間は、前記テーブルデータから求めた前記第１のゼロクロス点を検出した時点における前記入力電流検出手段により検出された入力電流値に対応する前記入力電圧の位相角及び前記スイッチング信号のデューティ比で前記スイッチング素子をオン／オフし、前記第１の期間が経過してから前記入力電圧のピークを含む期間が経過した予め定めた時点までの第２の期間は、前記スイッチング信号の出力を停止し、前記第２の期間が経過してから前記予め定めた時点における前記入力電流検出手段により検出された入力電流値に対応する前記入力電圧の位相角に相当する時間が経過するまでの第３の期間は、前記テーブルデータから求めた前記予め定めた時点における前記入力電流検出手段により検出された入力電流値に対応する前記入力電圧の位相角及び前記スイッチング信号のデューティ比で前記スイッチング素子をオン／オフし、前記第３の期間が経過してから前記第２のゼロクロス点を検出するまでの第４の期間は、前記スイッチング信号の出力を停止することにより前記平滑手段からの出力電圧を制御する制御手段と、
を有する電源装置。
【発明の詳細な説明】
【０００１】
【発明の属する技術分野】
本発明は電源装置に係り、特に、交流電力を直流電力に変換する電源装置に関する。
【０００２】
【従来の技術】
冷凍サイクルによって冷暖房を行なう空気調和機（エアコン）では、冷暖房能力を調整するときに、コンプレッサの運転周波数を変更するものがある。すなわち、エアコンでは、コンプレッサの運転周波数を下げることにより冷暖房能力が下がり、コンプレッサの運転周波数を高くすることにより冷暖房能力が高くなる。このようなエアコンでは、インバータ制御によってコンプレッサを駆動するモータの回転数を制御している。
【０００３】
インバータ制御を行なう電源装置には、ＰＷＭ制御を行なうものに加えてＰＡＭ（Ｐｕｌｓｅ  Ａｍｐｌｉｔｕｄｅ  Ｍｏｄｕｌａｔｉｏｎ：パルス振幅変調）制御を行なうものがある。ＰＡＭ制御では、交流電圧を整流回路によって直流電圧に変換した後、昇圧回路によって所望の電圧に変換するようになっている。この昇圧回路としてはチョッパ回路が一般的に用いられている。
【０００４】
昇圧回路（チョッパ回路）は、リアクトル素子とスイッチング素子及びダイオードとコンデンサを備え、スイッチング素子をオンしてリアクトル素子に蓄えたエネルギーを、スイッチング素子をオフすることによりてコンデンサを充電する。これにより、コンデンサには、入力電圧とリアクトル素子に蓄えられたエネルギーに応じた電圧が発生する。
【０００５】
このような昇圧回路では、スイッチング素子のオン時間の比率（デューティ比）を制御することにより、前段の整流回路に入力される交流の入力電流の波形及び電流値を制御することができ、直流電圧の制御と共に力率改善及び高調波電流の低減が可能となっている。また、このようなＰＡＭ制御を行う電源装置の中には、スイッチング素子のオンオフを間欠的に行うことにより簡易的にＰＡＭ制御を行うものもある。
【０００６】
一方、整流回路には、力率改善や高調波電流の低減が望まれており、このために受動部品を用いたパッシブ型フィルタがあるが、このパッシブ型フィルタでは、特に入力電圧（電源電圧）が２００Ｖ以上では、力率改善及び高調波電流の低減に限界があり、装置も大型化してしまう。これに対して、上記の簡易的にＰＡＭ制御を行う所謂アクティブフィルタでは、力率改善及び高調波電流の低減が可能となる。
【０００７】
【発明が解決しようとする課題】
しかしながら、簡易的なＰＡＭ制御を行う電源装置では、主に高調波電流の抑制を目的としており、出力電圧を高めることが困難であるという問題があった。
【０００８】
本発明は上記事実に鑑みてなされたものであり、高調波抑制と共に出力電圧の制御を可能とする電源装置を提供することを目的とする。
【０００９】
【課題を解決するための手段】
上記目的を達成するために、請求項１記載の発明の電源装置は、入力される交流電力を直流電力に変換して負荷へ供給する電源装置において、前記交流電力を整流する整流手段と、前記整流手段からの出力を倍電圧にすると共に平滑化して直流電力を出力する平滑手段と、前記整流手段の出力端子の間に接続されると共に、入力されるスイッチング信号のオン／オフに基づいて開閉するスイッチング素子と、前記整流手段に入力される入力電圧を検出する入力電圧検出手段と、前記整流手段に入力される入力電流を検出する入力電流検出手段と、前記入力電流検出手段により検出される入力電流値と、前記スイッチング信号を出力する時間に相当する前記入力電圧の位相角及び前記スイッチング信号のデューティ比と、の対応関係を予め定めたテーブルデータが記憶された記憶手段と、前記入力電圧検出手段により検出した入力電圧の第１のゼロクロス点及び当該第１のゼロクロス点の次の第２のゼロクロス点を検出すると共に、前記第１のゼロクロス点を検出した時点から当該第１のゼロクロス点を検出した時点における前記入力電流検出手段により検出された入力電流値に対応する前記入力電圧の位相角に相当する時間が経過するまでの第１の期間は、前記テーブルデータから求めた前記第１のゼロクロス点を検出した時点における前記入力電流検出手段により検出された入力電流値に対応する前記入力電圧の位相角及び前記スイッチング信号のデューティ比で前記スイッチング素子をオン／オフし、前記第１の期間が経過してから前記入力電圧のピークを含む期間が経過した予め定めた時点までの第２の期間は、前記スイッチング信号の出力を停止し、前記第２の期間が経過してから前記予め定めた時点における前記入力電流検出手段により検出された入力電流値に対応する前記入力電圧の位相角に相当する時間が経過するまでの第３の期間は、前記テーブルデータから求めた前記予め定めた時点における前記入力電流検出手段により検出された入力電流値に対応する前記入力電圧の位相角及び前記スイッチング信号のデューティ比で前記スイッチング素子をオン／オフし、前記第３の期間が経過してから前記第２のゼロクロス点を検出するまでの第４の期間は、前記スイッチング信号の出力を停止することにより前記平滑手段からの出力電圧を制御する制御手段と、を有することを特徴としている。
【００１０】
請求項１記載の発明によれば、スイッチング素子を駆動するスイッチング信号のデューティ比を入力電流によって制御する。例えば、スイッチング信号のデューティ比を高くすることにより入力電流を増加させることができる。また、スイッチング素子のオン／オフによって出力電圧も変化するので、スイッチング信号のデューティ比によって平滑手段からの出力電圧の制御が可能となる。
【００１１】
このような本発明は、前記制御手段が、前記入力電力検出手段によって検出した入力電圧値が正から負または負から正へと反転するゼロクロス点を基準とし、該ゼロクロス点を検出する直前及びゼロクロス点を検出した時点から前記スイッチング素子を入力電流値に基づいて定めた入力電圧値の位相角及びデューティ比に応じてオン／オフする。言い換えれば、入力電圧の半周期内で、かつピークの部分を除いた両端部でスイッチング素子をオン／オフする。入力電圧値の位相角は、ゼロクロス点からの時間に換算することができる。すなわち、位相角を変化させることにより、スイッチングするタイミングを変化させることができる。
【００１２】
このように、スイッチング信号を出力するタイミングを入力電圧のゼロクロス点に同期させることにより、入力電流の波形の調整が可能となり、高調波を抑制することができる。なお、入力電流値に基づいて定めた入力電圧値の位相角及びデューティ比は、ＲＯＭなどの記憶手段にテーブルデータとして記憶しておき、必要に応じて読み出して制御する。
【００１３】
また、入力電圧値の位相角及びデューティ比は、入力電流値、すなわち負荷の大きさに基づいて最適に定められる。このため、出力電圧を効率的に所望の電圧に昇圧する制御が可能となる。さらに、平滑手段は前記整流手段からの出力を倍電圧にするので、少ない入力電力から高出力が可能となり、電源効率が向上する。
【００１４】
【発明の実施の形態】
以下に図面を参照しながら、本発明の実施の形態を説明する。図２には、本実施の形態に適用した空気調和機（以下「エアコン１０」と言う）の冷凍サイクルを示している。
【００１５】
このエアコン１０は、被空調室に設置される室内ユニット１２と室外に設置される室外ユニット１４によって構成されており、室内ユニット１２と室外ユニット１４とは、冷媒を循環させる太管の冷媒配管１６Ａと、細管の冷媒配管１６Ｂとで接続されている。
【００１６】
室内ユニット１２には、熱交換器１８が設けられており、冷媒配管１６Ａ、１６Ｂのそれぞれの一端がこの熱交換器１８に接続されている。また、冷媒配管１６Ａの他端は、室外ユニット１４のバルブ２０Ａ、マフラー２２Ａを介して四方弁２４に接続されている。この四方弁２４は、アキュムレータ２８及びマフラー２２Ｂを介してコンプレッサ２６に接続されている。
【００１７】
さらに、室外ユニット１４には、熱交換器３０が設けられている。この熱交換器３０は、一方が四方弁２４に接続され、他方がキャピラリチューブ３２、ストレーナ３４、モジュレータ３８を介してバルブ２０Ｂに接続されている。また、ストレーナ３４とモジュレータ３８の間には、電動膨張弁３６が設けられ、バルブ２０Ｂには、冷媒配管１６Ｂの他端が接続されている。これによって、室内ユニット１２と室外ユニット１４の間に冷凍サイクルを形成する冷媒の密閉された循環路が構成されている。
【００１８】
エアコン１０は、コンプレッサ２６と一体に設けているコンプレッサモータ４０の回転駆動によってコンプレッサ２６が運転されると、この冷凍サイクル中を冷媒が循環される。このとき、エアコン１０では、運転モード（冷房モード又は暖房モード）に応じて四方弁２４が切換えられ、電動膨張弁３６の弁開度を制御することにより、冷媒の蒸発温度が調整される。なお、図２では矢印によって暖房運転時（暖房モード）と冷房運転時（冷房モードまたはドライモード）の冷媒の流れを示している。
【００１９】
冷房モードでは、コンプレッサ２６によって圧縮された冷媒が熱交換器３０へ供給されることにより液化され、この液化された冷媒が室内ユニット１２の熱交換器１８で気化することにより、熱交換器１８を通過する空気を冷却する。また、暖房モードでは、逆に、コンプレッサ２６によって圧縮された冷媒が、室内ユニット１２の熱交換器１８で凝縮されることにより放熱し、この冷媒が放熱した熱で熱交換器１８を通過する空気を加熱する。
【００２０】
室内ユニット１２は、送風用に設けられている図示しないクロスフローファンによって室内ユニット１２に吸引した空気を室内へ吹出すときに熱交換器１８を通過させ温調する。これにより、室内ユニット１２から吹出される空気によって室内が空調される。
【００２１】
図１に示されるように、室外ユニット１４には、電源装置４２及びマイコン４４が設けられている。電源装置４２は、交流電力をコンプレッサモータ４０の駆動用の直流電力に変換する。また、マイコン４４は、室外ユニット１４の作動を制御すると共に、電源装置４２の作動を制御する。
【００２２】
例えば、マイコン４４は、例えばシリアル通信等によって室内ユニット１２に設けられている図示しないマイコンと接続されており、この室内ユニット１２のマイコンからの信号に基づいて作動する。なお、マイコン４４は、室内ユニット１２のマイコンから送出された信号及び外気温度を検出する外気温度センサ、コンプレッサ２６の温度を検出するコンプレッサ温度センサ、熱交換器３０のコイル温度を検出するコイル温度センサ等の検出結果に基づいてコンプレッサモータ４０と共に、四方弁、電動膨張弁３６、熱交換器３０を冷却する冷却ファン等の駆動を制御する。
【００２３】
室外ユニット１４に設けられている電源装置４２は、整流回路４６と平滑回路４８を備えており、交流電源５０から供給される交流電力を所定電圧の直流電力に変換し、インバータ回路５２へ出力する。インバータ回路５２は、スイッチング素子が設けられた一般的構成となっており、スイッチング信号によってスイッチング素子がオン／オフ制御されることにより、スイッチング信号に応じた電力をコンプレッサモータ４０へ出力し、この電力（電圧）に応じた回転数でコンプレッサモータ４０を回転駆動する。
【００２４】
インバータ回路５２は、マイコン４４に接続されており、マイコン４４から出力されるスイッチング信号に基づいてスイッチング素子が駆動される。すなわち、マイコン４４は、インバータ回路５２を用いてＰＷＭ制御によってコンプレッサモータ４０の回転数を制御している。
【００２５】
近年、コンプレッサモータ４０としては、ＤＣブラシレスモータを用いており、入力電圧の変化に応じて回転数が変化する。したがって、スイッチング信号のデューティ比に応じた電圧がインバータ回路５２からコンプレッサモータ４０へ出力されることにより、コンプレッサモータ４０は、この電圧に応じた回転数で回転駆動する。
【００２６】
このインバータ回路５２では、スイッチング信号のデューティ比を一定としたときに、出力電圧がインバータ回路５２への入力電圧、すなわち、平滑回路４８の出力電圧Ｖ０に応じて変化させることができる。これにより、インバータ回路５２への入力電圧に応じてもコンプレッサモータ４０の回転数が変更可能となっている。すなわち、マイコン４４は、ＰＡＭ制御によってもコンプレッサモータ４０の回転数の制御が可能となっている。
【００２７】
一方、整流回路４６は、ダイオード５４をブリッジ状に接続した整流器５６が設けられており、この整流器５６の入力端子５８Ａ、５８Ｂにチョークコイルであるリアクトル６０を介して、交流電源５０が接続される。本実施の形態に適用したエアコン１０の室外ユニット１４は、所定電圧（例えば単相１００Ｖ）の交流電力が供給されることにより運転される。
【００２８】
整流器５６の出力端子６２Ａ、６２Ｂには、ダイオード７２、７４を介して平滑回路４８が接続されている。平滑回路４８は、直列接続されたコンデンサ６４、６６と、このコンデンサ６４、６６に並列接続されたコンデンサ６８によって構成され、整流器５６から出力される脈流を平滑化する。これにより、整流回路４６は、倍電圧両波整流回路を形成している。
【００２９】
ところで、整流器５６の出力端子６２A、６２Ｂの間には、スイッチング回路７６が接続されている。このスイッチング回路７６は、スイッチング素子としてＩＧＢＴ（Ｉｎｓｕｌａｔｅｄ  Ｇａｔｅ  Ｂｉｐｏｌａｒ  Ｔｒａｎｓｉｓｔｏｒ）等のスイッチングトランジスタ７８とダイオード８０によって構成されており、スイッチングトランジスタ７８がスイッチング信号によってオンされることにより出力端子６２Ａから出力端子６２Ｂへ電流が流れるようになっている。
【００３０】
このスイッチングトランジスタ７８は、駆動回路８２を介してマイコン４４に接続されており、マイコン４４から出力される高周波のスイッチング信号ＳＴによってオン／オフされる。
【００３１】
一方、マイコン４４には、入力電力検出手段として、電源電圧検出回路８４と電源電流検出回路８４が接続されている。マイコン４４は、この電源電圧検出回路８４によって電源電圧（入力電圧）と共に入力電圧の波形の位相信号を読み込み、位相信号から電源電圧の波形が切り換わるゼロクロス点Ｐ（図３参照）を検出する。マイコン４４は、このゼロクロス点Ｐに基づいてスイッチング信号ＳＴを出力するタイミングを設定するようになっている。
【００３２】
図３に示されるように、マイコン４４は、交流電源５０の周波数ｆ1の位相に同期させて、周波数ｆ1の１／２サイクル毎に、スイッチング信号ＳＴを出力するようになっている。また、マイコン４４では、スイッチング信号ＳＴを、スイッチング信号ＳＴ1、ＳＴ2に分割して出力するように設定されている（以下総称するときは「スイッチング信号ＳＴ」とする）。
【００３３】
すなわち、マイコン４４は、周波数ｆ1の１／２サイクル内で、一例としてスイッチング信号ＳＴ1、ＳＴ2の何れかを出力する時間α、γと、スイッチング信号ＳＴを停止する時間β、δによって４分割するように設定されている。
【００３４】
スイッチング信号ＳＴ1は、ゼロクロス点Ｐ（位相角θ＝０）から時間αの間で出力され、スイッチング信号ＳＴ2は、次のゼロクロス点（θ＝１８０°）の直前で停止する時間γの間で出力するようにしている。これにより、スイッチング信号ＳＴ2と次のスイッチング信号ＳＴ1との間で、スイッチング信号ＳＴが停止する時間δを設けるようにしている。また、スイッチング信号ＳＴ1とスイッチング信号ＳＴ2の間の電源電圧のピークを挟んだ時間βの間は、スイッチングを停止する。
【００３５】
これにより、マイコン４４が、ゼロクロス点Ｐからスイッチング信号ＳＴ1を出力した後、一旦、スイッチング信号ＳＴの出力を停止してからスイッチング信号ＳＴ2を出力する。
【００３６】
また、時間α、γは電圧波形の位相角に換算することができるが、マイコン４４では、電源電流検出回路８６によって検出する入力電流Ｉｉ、すなわち負荷の大きさに基づいてスイッチング信号ＳＴ1、ＳＴ2の位相角及びデューティ比を変化させるようにしている。この入力電流Ｉｉに応じた位相角及びデューティ比は、負荷の大きさ（エアコン１０の動作モード）に応じて予め定められており、テーブルデータとしてマイコン４４の図示しないＲＯＭに記憶されている。すなわち、マイコン４４では、ＲＯＭに記憶されたテーブルデータから入力電流Ｉｉの大きさに応じた位相角及びデューティ比を読み込んでＰＡＭ制御を行う。
【００３７】
なお、本実施の形態では、スイッチング信号ＳＴ（ＳＴ1、ＳＴ2）の周波数ｆは１７ｋHzとしている。これにより、出力電圧Ｖoは、例えば２８０Ｖ（基準電圧Ｖs＝２８０Ｖ）となるように制御される。
【００３８】
次に、本実施の形態の作用を説明する。
【００３９】
エアコン１０は、図示しないリモコンスイッチの操作によって、運転モード、設定温度等の運転条件、すなわち動作モードが設定され、運転／停止ボタンの操作によって運転開始が指示されると、室内ユニット１２に設けている図示しないマイコンが、設定された運転条件に応じて室内を空調するために必要な空調能力を演算し、この演算結果に基づいてコンプレッサモータ４０の回転数を設定する。この後、室内ユニット１２に設けているマイコンは、設定した回転数でコンプレッサモータ４０を駆動するように、室外ユニット１４に設けているマイコン４４に指示する。
【００４０】
マイコン４４は、室内ユニット１２のマイコンによって指示されたコンプレッサ２６の回転数が得られるように電源装置４２及びインバータ回路５２を制御しながらコンプレッサモータ４０を回転駆動する。これにより、エアコン１０では、コンプレッサ２６で圧縮された冷媒が冷凍サイクル中を循環し、室内ユニット１２に設けている熱交換器１８を通過する空気を温調する。この室内ユニット１２の熱交換器１８を通過することにより温調された空気が、室内ユニット１２から吹出されることにより、室内の空調が図られる。
【００４１】
電源装置４２を制御するマイコン４４は、交流電源５０から整流回路５６に入力される入力電圧Ｖｉの電圧波形のゼロクロス点Ｐを検出すると、電源電流検出回路８６により検出した入力電流Ｉｉに応じた位相角及びデューティ比を内部のＲＯＭから読み出し、この読み出した値に応じた図４（Ａ）に示すようなスイッチング信号ＳＴ1を出力する。図４（Ａ）では、一例として電圧波形の位相角θが０°〜３０°（１８０°〜２１０°）の間（時間α）の間にスイッチング信号ＳＴ1が出力され、そのデューティ比は一例として９２％である。なお、図４（Ｂ）は入力電圧Ｖｉの波形、図４（Ｃ）は入力電流値Ｉｉの波形、図４（Ｄ）はスイッチングトランジスタ７８のドレイン−ソース間電流の波形をぞれぞれ示している。
【００４２】
電源装置４２では、スイッチングトランジスタ７８が、電圧波形のゼロクロス点Ｐからスイッチング信号ＳＴ1に基づいてオン／オフされることにより、このスイッチング信号ＳＴ1のオン／オフに応じて図４（ｃ）に示すような入力電流Ｉｉが流れる。
【００４３】
そして、電圧波形の位相角θが３０°を超えるとスイッチング信号ＳＴ1の出力を停止する。これにより、スイッチングトランジスタ７８によるスイッチングが停止される。
【００４４】
次に、電圧波形が次のゼロクロス点Ｐ（図３のゼロクロス点Ｐ1）に近づくと、電源電流検出回路８６により検出した入力電流Ｉｉに応じた位相角及びデューティ比を内部のＲＯＭから読み出し、この読み出した値に応じた図４（Ａ）に示すようなスイッチング信号ＳＴ2を出力する。図４（Ａ）では、一例として電圧波形の位相角θが１２９°〜１４７°（３０９°〜３２７°）の間（時間γ）の間にスイッチング信号ＳＴ2が出力され、そのデューティ比は一例として４３％である。すなわち、位相角θが３０°〜１２９°（２１０°〜３０９°）の間（時間β）は、スイッチングが停止される。
【００４５】
電源装置４２では、スイッチングトランジスタ７８が、電圧波形のゼロクロス点Ｐからスイッチング信号ＳＴ2に基づいてオン／オフされることにより、このスイッチング信号ＳＴ2のオン／オフに応じて入力電流Ｉｉが流れる。
【００４６】
そして、電圧波形の位相角θが１４７°を超えるとスイッチング信号ＳＴ2の出力を停止する。これにより、スイッチングトランジスタ７８によるスイッチングが停止される。この後、位相角θが次のゼロクロス点Ｐ1（位相角θ＝１８０°）に達すると、新たにスイッチング信号ＳＴ1の出力が開始される。すなわち、位相角θが１４７°〜１８０°（３０９°〜０°）の間（時間δ）はスイッチングが停止される。
【００４７】
このように、周波数ｆ1の１／２サイクルの両端において入力電流Ｉｉ（負荷の大きさ：エアコン１０の動作モード）に応じた入力電圧値の位相角及びデューティ比でスイッチング信号ＳＴ1及びスイッチング信号ＳＴ2をそれぞれ出力することにより、入力電流Ｉｉに応じて最適にゼロクロス点Ｐの近傍での電流波形を滑らかにすることができ、簡易的なＰＡＭ制御を行う場合であってもパッシブ型フィルタを用いる場合と比較して出力電圧を高めることができる（例えば数Ｖから約５０Ｖ）。従って、より細かい出力制御（暖房制御）を行うことができる。
【００４８】
また、入力電流Ｉｉに応じて最適にゼロクロス点Ｐの近傍での電流波形を滑らかにすることができるのでＰＡＭ制御を行わない場合と比較して力率を改善することができると共に入力電流Ｉｉの高調波成分の低減が可能となる。このため、図５に示すように高調波規格（ＩＥＣ規格）を満足することができる。図５では、３次以上の高調波について、電流値がすべてＩＥＣ規格値以下となっている。さらに、整流回路４６は、倍電圧両波整流回路となっているので、電源効率（入力電力に対する出力電力の割合）を向上させることができる。
【００４９】
また、マイコン４４のＲＯＭに入力電流Ｉｉに応じた位相角及びデューティ比を記憶させ、これを必要に応じて読み出してスイッチング信号ＳＴを出力するので、制御及び回路構成が簡単になり、低コストとすることができる。
【００５０】
【発明の効果】
以上説明したように、本発明によれば、制御手段が、ゼロクロス点を検出する直前及び検出した時点から、入力電流値に基づいて定めた入力電圧値の位相角及びデューティ比に応じてオン／オフするので、間欠的にスイッチングする場合においても出力電圧を昇圧する制御が可能になると共に入力電流の波形の調整が可能となり、高調波を抑制することができる、という効果を有する。
【図面の簡単な説明】
【図１】本実施の形態に適用した電源装置の概略を示すブロック図である。
【図２】本実施の形態の電源装置を適用したエアコンの冷凍サイクルを示す概略図である。
【図３】本発明に係る入力電圧の電圧波形に対するスイッチング信号の出力期間を示す線図である。
【図４】入力電圧の電圧波形に対するスイッチング信号と入力電流の電流波形の概略を示す線図である。
【図５】入力電流に対する高調波レベルの概略を示す線図である。
【符号の説明】
１０    エアコン
４０    コンプレッサモータ
４２    電源装置
４４    マイコン（制御手段）
４６    整流回路（整流手段）
４８    平滑回路（平滑手段）
５０    交流電源
５２    インバータ回路
６０    リアクトル
７６    スイッチング回路
７８    スイッチングトランジスタ（スイッチング素子）
８４    電源電圧検出回路（入力電圧検出手段）
８６    電源電流検出回路（入力電流検出手段）
【図１】
0004289718.tif 000002
【図２】
0004289718.tif 000003
【図３】
0004289718.tif 000004
【図４】
0004289718.tif 000005
【図５】
0004289718.tif 000006